(57)【要約】【課題】  接触式の温度検知素子を使用して、温度検知素子を適正な力で安定的に定着ローラに接触させることができ、定着ローラを傷つけることなく確実かつ安定的に定着手段の温度を検知する。【解決手段】  ヒータ１０３を内蔵して回転駆動される定着ローラ１０１と、前記定着ローラ１０１に圧接した状態で従動回転する加圧ローラ１０２と、前記定着ローラ表面に接触して温度を検知するサーミスタ部材１０７と、軸受部１０６ａに回動自在に取り付けられ、サーミスタ感熱部１０７ｂを前記定着ローラ１０１に接触させる保持ブラケット１０６を備えるものとし、サーミスタ部材１０７及び保持ブラケット１０６に作用する重力によりサーミスタ感熱部１０７ｂを定着ローラ１０１表面に所定の力で当接させる【選択図】  図２
2007078910.tif 000002
【特許請求の範囲】
【請求項１】
ヒータを内蔵して回転駆動される定着ローラと、前記定着ローラに圧接した状態で従動回転する加圧ローラと、前記定着ローラ表面に接触して温度を検知する温度検知素子と、回転軸に回動自在に取り付けられ、前記温度検知素子を保持して温度検知素子を前記ローラに接触させるブラケット部材とからなり、
温度検知素子及び前記ブラケット部材に作用する重力により前記温度検知素子を前記ローラ表面に所定の力で当接させることを特徴とする定着装置。
【請求項２】
前記温度検知素子及び前記ブラケット部材回動部として構成し、
前記回動部の重心位置を前記温度検知素子が定着ローラに当接した状態で温度検知素子の感熱面が定着ローラに所定の押し付け力で押し付けられる位置に配置したことを特徴とする請求項１の定着装置。
【請求項３】
ヒータを内蔵して回転駆動される定着ローラと、前記定着ローラに圧接した状態で従動回転する加圧ローラと、前記定着ローラ表面に接触して温度を検知する温度検知素子と、回転軸に回動自在に取り付けられ、前記温度検知素子を保持して温度検知素子を前記ローラに接触させるブラケット部材とからなり、
前記ブラケット部材には錘部材を備え、温度検知素子は、温度検知素子、前記ブラケット、及び錘部材に作用する重力により前記温度検知素子を前記定着ローラ表面に所定の力で当接することを特徴とする定着装置。
【請求項４】
前記ブラケット部材の温度検素子設置側に錘部材を設けたことを特徴とする請求項３の定着装置。
【請求項５】
前記ブラケット部材は、前記軸を挟んだ反温度検出素子側にアーム部を備え、錘部材を前記アーム部に設けたことを特徴とする請求項４の定着装置。
【請求項６】
前記温度検知素子、前記ブラケット部材及び前記錘部材を回動部として構成し、
前記回動部の重心位置を前記温度検知素子が定着ローラに当接した状態で温度検知素子の感熱面が定着ローラに所定の押し付け力で押し付けられる位置に配置したことを特徴とする請求項３から５のいずれかの定着装置。
【請求項７】
前記ブラケットの回転軸は、オフセットトナーや紙粉などの異物が溜まりにくい構造としたことを特徴とする請求項１から６のいずれかの定着装置。
【請求項８】
定着ローラの軸受部には軸受部温度検知素子を備え、この軸受部温度検知手段により検知される温度と、定着ローラ表面に設置される温度検知素子によって検知される温度とを比較し、２つの温度の差を監視することで前記定着ローラ表面に配置される温度検知素子の当接状態を判断する判断手段を備えたことを特徴とする請求項１から７のいずれかの定着装置。
【請求項９】
ブラケットと温度検知素子とは一体に成形されていることを特徴とする請求項１から８のいずれかの定着装置。
【請求項１０】
定着ローラは、ブラケット部支点側から温度検知素子が取り付けられたブラケットの自由端側に向かって回転することを特徴とする請求項１から９のいずれかの定着装置。
【請求項１１】
前記温度検知素子はサーミスタで構成したことを特徴とする請求項１から１０のいずれかの定着装置。
【請求項１２】
請求項１から１１のいずれかの定着装置を備えたことを特徴とする画像形成装置。
【発明の詳細な説明】
【技術分野】
【０００１】
本発明は、定着装置及び画像形成装置に係り、特にヒータを内蔵して回転駆動される定着ローラと、前記定着ローラに圧接した状態で従動回転する加圧ローラと、前記定着ローラ表面に接触して温度を検知する温度検知素子と、回転軸に回動自在に取り付けられ、前記温度検知素子を保持して温度検知素子を前記ローラに接触させるブラケット部材とからなる定着装置及びこれを備えた画像形成装置に関する。
【背景技術】
【０００２】
複写機、プリンタ、ＦＡＸ等の電子写真式画像形成装置においては、感光体ドラムに形成したトナー画像を印刷紙等の転写材に転写し、その後、転写材を定着手段としての定着ローラにより加熱処理することで定着し画像形成を行っている。
【０００３】
ここで、定着ローラは、その表面温度を定着に最適な値に保つことが重要となる。このため、このような定着ローラにはサーミスタなどの温度検出素子を備えて温度を検出し、この検出した温度に基づいて定着ローラ表面の温度を制御するようにしている。
【０００４】
例えば特許文献１には、サーミスタを定着ローラに接触させるための技術が開示されている。これは、図４に示すように、温度検知素子として接触型のサーミスタ９を使用したものである。本例では、定着装置は内部にヒータ３を備えた定着ローラ１と、この定着ローラ１に所定の力で押圧される加圧ローラ２とを備える。そして、これらの定着ローラ１及び加圧ローラ２の近傍に配置される画像形成装置本体の板金部材４にサーミスタ９が取り付けられている。このサーミスタ９は座金７に取付バネ９ａを取付バネ９ａの先端に感熱部９ｂを配置したものである。サーミスタ９は座金７をねじ８等の締結手段を用いて前記板金部材４に固定されている。
【０００５】
このような構成により、サーミスタ９の感熱部９ｂは定着ローラ１の表面に取付バネ９ａで付勢され、所定の力で接触する。そして、感熱部９ｂで定着ローラ１の表面温度が測定され、この測定した温度に基づいて定着ローラ１内のヒータ３の温度が制御される。本例では、サーミスタ９の取付バネ９ａ先端の感熱部９ｂと定着ローラ１の表面との押し付け力の設定を適正にしなければ、定着ローラ１とサーミスタ９との接触不良による誤検知が発生する。このため、感熱部９ｂを定着ローラ１に適正な力で押し付けるように調整しなければならない。
【０００６】
また、特許文献２には、定着ローラの温度を非接触で測定するものが記載されている。この例では、定着ローラが発生する赤外線量を赤外線センサで検出して、この赤外線量により定着ローラの温度を測定するものである。
【０００７】
さらに、サーミスタを用いて定着ローラの表面温度を測定するものとして以下のものがある。特許文献３には、内部にヒータを配置され回転自在に支持された定着回転体と、内部にヒータを配置され回転自在に支持されかつ定着回転体に対して付勢手段により圧接される加圧回転体とにより構成され、定着回転体及び加圧回転体とは、ヒータをＯＮ／ＯＦＦ制御する温調手段である２つのサーミスタと、異常高温の場合に各ヒータへの通電をＯＦＦする安全装置である２つのサーモスイッチとが配設された定着装置において、加圧回転体を回転可能に支持しかつ加圧回転体と一体的に移動可能な支持部材に、加圧回転体に配設されるサーミスタとサーモスイッチとが固定的に支持されているものが記載されている。
【０００８】
また、特許文献４には、２つのサーミスタからの各出力電圧値に基づき第一温度検出部及び第２温度検出部が各サーミスタの断線発生の有無を検出し、判断部が、作動時の第一温度検出部及び第２温度検出部の各検出温度の差と定着ローラの通紙領域と非通紙領域との正規時の温度差の最大値１６℃との比較から、各サーミスタの各正規位置からのずれ発生の有無を判断するものが記載されている。
【０００９】
さらに、特許文献５には、加熱ローラの上部を被う上カバーに固定ブラケットを取り付け、その固定ブラケットで支持して保持ブラケットを設けるとともに、付勢部材で付勢してその保持ブラケットを軸部を支点として回動し、先端に保持するサーミスタを前記加熱ロ−ラに押し当て、サーミスタの押当位置における加熱ローラの接線上に、前記保持ブラケットの回動支点である軸部を設けるものが記載されている。
【００１０】
【特許文献１】実登録２５０５６３１号公報
【特許文献２】特開２００４−２０５４１７号公報
【特許文献３】特開平１０−２０７２７４号公報
【特許文献４】特開平１１−７３０５８号公報
【特許文献５】特開平０５−２３２８３５号公報
【発明の開示】
【発明が解決しようとする課題】
【００１１】
しかしながら、しかしながら、上述した特許文献１の構成では各部品成形時の寸法公差のバラツキ等によって、定着ローラ１への感熱部９ｂの当接力が過大になるとローラ表面に摺察傷が発生してローラの寿命を低下させ、さらには、その傷によって定着後における形成画像の品位が悪化する。また当接力が過小の場合には、正しい温度検知ができないという問題が生じる。
【００１２】
また、特許文献２に示した非接触式の温度測定システムは光学的に赤外線量を測定しているため、赤外線測定センサ表面の汚れがそのまま測定温度の誤差となって現れ、特に電子写真方式の複写機などでは、その内部でトナー、紙粉などの飛散がありセンサ表面が汚れやすく、正確な温度検知ができないといった問題がある。
【００１３】
そこで、本発明は接触式の温度検知素子を使用して、温度検知素子を適正な力で安定的に定着ローラに接触させることができ、定着ローラを傷つけることなく確実かつ安定的に定着手段の温度を検知することができる定着装置及び画像形成装置を提供することを目的とする。
【課題を解決するための手段】
【００１４】
請求項１の発明は、ヒータを内蔵して回転駆動される定着ローラと、前記定着ローラに圧接した状態で従動回転する加圧ローラと、前記定着ローラ表面に接触して温度を検知する温度検知素子と、回転軸に回動自在に取り付けられ、前記温度検知素子を保持して温度検知素子を前記ローラに接触させるブラケット部材とからなり、温度検知素子及び前記ブラケット部材に作用する重力により前記温度検知素子を前記ローラ表面に所定の力で当接させることを特徴とする定着装置である。
【００１５】
請求項２の発明は、請求項１の定着装置において、前記温度検知素子及び前記ブラケット部材回動部として構成し、前記回動部の重心位置を前記温度検知素子が定着ローラに当接した状態で温度検知素子の感熱面が定着ローラに所定の押し付け力で押し付けられる位置に配置したことを特徴とする。
【００１６】
請求項３の発明は、ヒータを内蔵して回転駆動される定着ローラと、前記定着ローラに圧接した状態で従動回転する加圧ローラと、前記定着ローラ表面に接触して温度を検知する温度検知素子と、回転軸に回動自在に取り付けられ、前記温度検知素子を保持して温度検知素子を前記ローラに接触させるブラケット部材とからなり、前記ブラケット部材には錘部材を備え、温度検知素子は、温度検知素子、前記ブラケット、及び錘部材に作用する重力により前記温度検知素子を前記定着ローラ表面に所定の力で当接することを特徴とする定着装置である。
【００１７】
請求項４の発明は、請求項３の定着装置において、前記ブラケット部材の温度検知素子設置側に錘部材を設けたことを特徴とする。
【００１８】
請求項５の発明は、請求項４の定着装置において、前記ブラケット部材は、前記軸を挟んだ反温度検出素子側にアーム部を備え、錘部材を前記アーム部に設けたことを特徴とする。
【００１９】
請求項６の発明は、請求項３から５のいずれかの定着装置において、前記温度検知素子、前記ブラケット部材及び前記錘部材を回動部として構成し、前記回動部の重心位置を前記温度検知素子が定着ローラに当接した状態で温度検知素子の感熱面が定着ローラに所定の押し付け力で押し付けられる位置に配置したことを特徴とする。
【００２０】
請求項７の発明は、請求項１から６のいずれかの定着装置において、前記ブラケットの回転軸は、オフセットトナーや紙粉などの異物が溜まりにくい構造としたことを特徴とする。
【００２１】
請求項８の発明は、請求項１から７のいずれかの定着装置において、定着ローラの軸受部には軸受部温度検知素子を備え、この軸受部温度検知手段により検知される温度と、定着ローラ表面に設置される温度検知素子によって検知される温度とを比較し、２つの温度の差を監視することで前記定着ローラ表面に配置される温度検知素子の当接状態を判断する判断手段を備えたことを特徴とする。
【００２２】
請求項９の発明は、請求項１から８のいずれかの定着装置において、ブラケットと温度検知素子とは一体に成形されていることを特徴とする。
【００２３】
請求項１０の発明は、請求項１から９のいずれかの定着装置において、定着ローラは、ブラケット部支点側から温度検知素子が取り付けられたブラケットの自由端側に向かって回転することを特徴とする。
【００２４】
請求項１１の発明は、請求項１から１０のいずれかの定着装置において、前記温度検知素子はサーミスタで構成したことを特徴とする。
【００２５】
請求項１２の発明は、請求項１から１１のいずれかの定着装置を備えたことを特徴とする画像形成装置である。
【発明の効果】
【００２６】
本発明に係る定着装置及び画像形成装置によれば、定着手段の温度検知を接触式の温度検知素子で行い、その定着ローラへの当接力を適正で安定的なものとでき、定着ローラを傷つけたりすることなく、かつ確実に定着ローラの温度を検出することができる。
【発明を実施するための最良の形態】
【００２７】
以下本発明を実施するための最良の形態としての実施例を図面に基づいて説明する。
【実施例】
【００２８】
以下本発明の実施の形態を図面を参照して説明する。図１は、本発明に係る電子写真方式の複写機やプリンタ装置等の画像形成装置を概念的に示す断面図である。本例に係る画像形成装置は、原稿を読み取る読み取りユニット１１、画像を形成する画像形成部１２、自動原稿搬送装置（ＡＤＦ）１３、ＡＤＦ１３から送り出される原稿をスタックする原稿排紙トレイ１４、給紙カセット１５ないし１８を備える給紙部１９、記録用紙をスタックする排紙部（排紙トレイ２０）により構成してある。
【００２９】
そして、ＡＤＦ１３の原稿台２１上に原稿Ｄをセットして図示せぬ操作部での操作、例えばプリントキーの押下操作をすると、最上位の原稿Ｄがピックアップローラ２２の回転により矢印Ｂ１方向へ送り出され、原稿搬送ベルト２３の回転により、画像読み取りユニット１１に固定されたコンタクトガラス２４上へ給送され、そこで停止する。コンタクトガラス２４上に載置された原稿Ｄの画像は、画像形成部１２とコンタクトガラス２４の間に位置する読み取り装置２５によって読み取る。読み取り装置２５は、コンタクトガラス２４上の原稿Ｄを照明する光源２６、原稿画像を結像する光学系２７、原稿画像を結像させるＣＣＤ等からなる光電変換素子２８等を有している。画像読み取り終了後、原稿Ｄを原稿搬送ベルト２３の回転により矢印Ｂ２方向へ搬送して原稿排紙トレイ１４上へ排出する。このように、原稿Ｄを１枚ずつコンタクトガラス２４上へ給送して原稿画像を画像読み取りユニット１１によって読み取る。
【００３０】
一方、画像形成部１２の内部には、像担持体である感光体３０が配置してある。感光体３０は、図において時計方向に回転駆動し、帯電装置３１によって表面を所定の電位に帯電させる。また、書き込みユニット３２からは、読み取り装置２５によって読み取った画像情報に応じて光変調したレーザ光Ｌを照射し、帯電させた感光体３０の表面をこのレーザ光Ｌで露光し、これによって感光体３０の表面に静電潜像を形成する。この静電潜像は、現像装置３３を通るとき、対向する転写装置３４によって感光体３０と転写装置３４の間に給送された記録媒体Ｐに転写する。トナー像転写後の感光体３０の表面は、クリーニング装置３５によって清掃する。
【００３１】
画像形成部１２の下部に配置した複数の給紙カセット１５ないし１８には、紙等の記録媒体Ｐを収容してあり、いずれかの給紙カセット１５ないし１８から記録媒体Ｐを矢印Ｂ３方向へ送り出し、その記録媒体Ｐの表面に、上述のように感光体３０の表面に形成したトナー像を転写する。次に、記録媒体Ｐを矢印Ｂ４で示すように画像形成部１２内の定着装置１００を通し、熱と圧力の作用によって記録媒体Ｐの表面に転写されたトナー像を定着させる。定着装置３６を通った記録媒体Ｐを排出ローラ対３７によって搬送し、矢印Ｂ５で示すように排紙トレイ２０へ排出し、スタックする。
【００３２】
次に本発明に係る画像形成装置の定着装置１００について説明する。図２は本発明に係る定着装置の実施形態を示すものである。本例では、定着装置１００は、内部にハロゲンヒータ等のヒータ１０３を格納した定着ローラ１０１と、この定着ローラ１０１に所定の力で圧着して転動する加圧ローラ１０２とを備える。温度検知素子であるサーミスタ感熱部１０７ｂを備えたサーミスタ部材１０７は定着ローラ１０１及び加圧ローラ１０２の近傍に配置された画像形成装置本体の板金部材１０４に固定された固定ブラケット１０５に回動自在に取り付けられている。
【００３３】
即ち、固定ブラケット１０５には軸１０５ａが設けられ、保持ブラケット１０６が前記軸１０５ａに回動自在に取り付けられている。保持ブラケット１０６は、前記軸１０５ａに取り付けられる軸受部１０６ａと、軸受部１０６ａから延設されるアーム部１０６ｂとからなる。このアーム部１０６ｂの先端には、サーミスタ部材１０７が取り付けられている。  
【００３４】
サーミスタ部材１０７は、座金状の取付基部１０７ｃと、取付基部１０７ｃから定着ローラ１０１の回転方向と同じ方向に延設された延設部材１０７ａと、延設部材１０７ａの先端部に取り付けられたサーミスタ感熱部１０７ｂとからなり、取付基部１０７ｃはねじ等の締結部材１０８で保持ブラケット１０６のアーム部１０６ｂに接合されている。
【００３５】
そして、本例では、サーミスタ部材１０７と保持ブラケット１０６と締結部材１０８を含む回動部の質量及び重心は、サーミスタ感熱部１０７ｂが定着ローラ１０１に所定の力で当接するように配慮されて構成され、この回動部の自重によって、サーミスタ感熱部１０７ｂが定着ローラ１０１に所定の力で接触するものとしている。
【００３６】
また本例では、上述したように、延設部材１０７ａは定着ローラ１０１の回転方向と同じ方向に設けられているから、サーミスタ感熱部１０７ｂと定着ローラ１０１との接触部においては、定着ローラ１０１は軸受部１０６ａからサーミスタ感熱部１０７ｂ側に向かって回転する。したがって、サーミスタ部材１０７は定着ローラ１０１の回転に円滑に追従する。
【００３７】
さらに、本例では、図示していないが、定着ローラ１０１のジャーナル部には、上述したサーミスタ部材１０７とは別の高温検知用のサーミスタが配備されており、この高温検知用のサーミスタで検知される温度と、サーミスタ部材１０７によって検知される温度を比較し、２者の温度差を監視することでサーミスタ部材１０７の当接状態を判断することができる。本例では、高温検知用のサーミスタは、定着ローラのジャーナル部に設置されるから当接力が強くても問題とならないため、その取付けは、上述のような構造とする必要はなく、例えば図４に示した従来の取り付けかたによって設置されていても良い。
【００３８】
なお、固定ブラケット１０５とサーミスタ部材１０７は別体としているが、これらを一体として成形しても良い。さらに、本例では、回動部として、サーミスタ部材１０７、保持ブラケット１０６、締結部材１０８を構成要素としたが、質量や重心の調整のため、適宜錘部材を設けることができる。また、上記例では、固定ブラケット１０５と保持ブラケット１０６との回転部には特別の処理を施していないが、防塵カバーを設けたり、密閉構造とするなどしてオフセットトナーや紙粉などの異物が溜まりにくい構造にすることが望ましい。
【００３９】
図３は、本発明に係る定着装置の第２の実施形態を示すものである。本例では、定着装置１００は、内部にハロゲンヒータ等のヒータ２０３を格納した定着ローラ２０１と、この定着ローラ２０１に所定の力で圧着して転動する加圧ローラ２０２とを備える。温度検知部材であるサーミスタ部材２０７は定着ローラ２０１及び加圧ローラ２０２の近傍に配置された画像形成装置本体の板金部材２０４固定された固定ブラケット２０５に回動自在に取り付けられている。
【００４０】
即ち、固定ブラケット２０５には軸２０５ａが設けられ、Ｌ字状の保持ブラケット２０６が前記軸２０５ａに回動自在に取り付けられている。保持ブラケット２０６は、前記軸２０５ａに取り付けられる軸受部２０６ａと、軸受部１０６ａから延設される２つのアーム部２０６ｂ，２０６ｃとからなる。本例では、このアーム部２０６ｂ，２０６ｃは軸２０５ａを挟んで設けられ、アーム部１０６ｂの先端には錘部材２０９が、アーム部２０６ｃにはサーミスタ部材２０７が取り付けられている。
【００４１】
サーミスタ部材２０７は、座金状の取付基部２０７ｃと、取付基部２０７ｃから定着ローラ２０１の回転方向と同じ方向に延設された延設部材２０７ａと、延設部材２０７ａの先端部に取り付けられたサーミスタ感熱部２０７ｂとからなり、取付基部２０７ｃはねじ等の締結部材２０８で保持ブラケット２０６のアーム部２０６ｃに接合されている。
【００４２】
そして、本例では、サーミスタ部材２０７と保持ブラケット２０６と締結部材２０８と、錘部材２０９を含む回動部の質量及び重心は、サーミスタ感熱部２０７ｂが定着ローラ２０１に所定の力で当接するように配慮されて構成され、この回動部の自重によって、サーミスタ感熱部２０７ｂが定着ローラ２０１に所定の力で接触するものとしている。
【００４３】
また本例では、回転部に含まれる錘部材２０９の質量を調整することにより、サーミスタ感熱部２０７ｂの定着ローラ２０１表面への押し付け力を調整することができる。即ち、本例では、軸２０５ａまわりの回転部材の各アーム部２０６ｂ，２０６ｃが寄与するモーメントをｍ１，ｍ２とするとき、ｍ２＜ｍ１、となるように錘部材２０９の重さを決定するものとする。本例では、錘部材２０９の質量さを変更するとによってサーミスタ感熱部２０７ｂの定着ローラ２０１表面への当接力を調整することができ、調整の自由度を高いものとすることができる。
【００４４】
また、本例では、図示していないが、上記第１の例と同様に、定着ローラ２０１のジャーナル部には、上述したサーミスタ部材２０７とは別の高温検知用のサーミスタが配備し、サーミスタ部材２０７によって検知される温度を比較し、２者の温度差を監視することでサーミスタ部材２０７の当接状態を判断することができる。
【００４５】
なお、上記例では、固定ブラケット２０５とサーミスタ部材２０７は別体としているが、これらを一体として成形しても良い。また、上記例では、固定ブラケット２０５と保持ブラケット２０６との回転部には特別の処理を施していないが、防塵カバーを設けたり、密閉構造とするなどしてオフセットトナーや紙粉などの異物が溜まりにくい構造にすることが望ましい。
【００４６】
以上説明したように、本発明に係る定着装置によれば、サーミスタ装置と定着ローラとの当接力をサーミスタ装置を含む回転部材の質量及び重心位置によって直接管理することができるので、公差による寸法のバラツキの影響を吸収することができ、サーミスタ部材の定着ローラへの当接力を所定の値に安定的に調整し、保つことができる。また本例によれば、サーミスタ部材は回動可能に取り付けられているので、定着装置内で巻き付ジャムが発生してもサーミスタの変形・破損のおそれも少ない。
【００４７】
また、本例によれば、振動などの原因によりサーミスタ装置が定着ローラ表面から離間したとしても、自動的に当接状態に復帰することとなる。
【図面の簡単な説明】
【００４８】
【図１】発明の実施の形態に係る画像形成装置を示す断面図である。
【図２】発明の実施の形態に係る定着装置を示す断面図である。
【図３】発明の他の実施の形態に係る定着装置を示す断面図である。
【図４】従来の定着装置を示す断面図である。
【符号の説明】
【００４９】
１１・・・読み取りユニット
１２・・・画像形成部
１３、自動原稿搬送装置（ＡＤＦ）
１４・・・原稿排紙トレイ
１５〜１８・・・給紙カセット
１９・・・給紙部
２０・・・排紙トレイ
２１・・・原稿台
２２・・・ピックアップローラ
２３・・・原稿搬送ベルト
２４・・・コンタクトガラス
２５・・・読み取り装置
２６・・・光源
２７・・・光学系
２８・・・光電変換素子
３０・・・感光体
３１・・・帯電装置
３２・・・書き込みユニット
３３・・・現像装置
３４・・・転写装置
３５・・・クリーニング装置
３７・・・排出ローラ対
１００・・・定着装置
１０１・・・定着ローラ
１０２・・・加圧ローラ
１０３・・・ヒータ
１０４・・・板金部材
１０５・・・固定ブラケット
１０５ａ・・・軸
１０６・・・保持ブラケット
１０６ａ・・・軸受部
１０６ｂ・・・アーム部
１０７・・・サーミスタ部材
１０７ａ・・・延設部材
１０７ｂ・・・サーミスタ感熱部
１０７ｃ・・・取付基部
１０８・・・締結部材
２０１・・・定着ローラ
２０２・・・加圧ローラ
２０３・・・ヒータ
２０４・・・板金部材
２０５・・・固定ブラケット
２０５ａ・・・軸
２０６・・・保持ブラケット
２０６ａ・・・軸受部
２０６ｂ・・・アーム部
２０６ｃ・・・アーム部
２０７・・・サーミスタ部材
２０７ａ・・・延設部材
２０７ｂ・・・サーミスタ感熱部
２０７ｃ・・・取付基部
２０８・・・締結部材
２０９・・・錘部材
【図１】
2007078910.tif 000003
【図２】
2007078910.tif 000004
【図３】
2007078910.tif 000005
【図４】
2007078910.tif 000006